(57)【要約】【課題】本発明の課題は、ローラー塗装時に塗料ミストの飛散防止を図るため、捕捉効果が良好なフードの開発、及びローラーを塗料溶液に浸漬する際にはフードに塗料が付着しない構造であり、軽量で作業性も良好な塗装具を提供することである。【解決手段】ローラー３に周設したフード６にフード補助６ａ、６ｂを傾動自在に蝶着し、フード引上げ用ばね１０ａと前記フード補助６ａの端部６ａ１、及び操作レバー１１ａをワイヤー１６で連結し、ローラーを塗料液に浸漬する際には、同操作レバー１１ａを引くことにより、フード６の端部６ａを拡開し、その後、当該ばね１０の弾性力でフード６の引上げが可能であり、同操作レバー１１ａを戻した場合は、ばね９で押圧・付勢され元の位置に帰着する。フード補助６ｂは単独で任意の設定が可能である。【選択図】図１
2020185535.tif 000002
【特許請求の範囲】
【請求項１】
グリップ１とアーム２とローラー３を有し、当該ローラー３に周設したフード６の下端部にフード補助６ａを傾動自在に蝶着し、操作レバー１１をグリップ１に近接したアーム２に取設して、フード支持軸４を前記アーム２に横設し、フード支持フレーム５とばね９、及びばね１０を、フード支持軸４の支軸８で軸支し、当該ばね１０ａと前記フード補助６ａの端部６ａ１、及び操作レバー１１ａをワイヤー１６で連結し、同操作レバー１１ａを引くことにより、ばね１０の初張力が生じていない遊び部分で前記フード補助６ａの端部を拡開し、その後、当該ばね１０の弾性力でフード６の引上げが可能であり、当該操作レバー１１ａを戻した場合は、フード支持フレーム５がばね９で押圧・付勢され元の位置に帰着することを特徴とするフード開口部可動式ローラー塗装具。
【請求項２】
フード６はフード骨子６ｃに添設しており、当該フードの取り付け角度はフード骨子６ｃとフードガイド７をフード支持具１５で緩嵌し調整・変更が可能であり、フード６の上端部にはフード補助６ｂを傾動自在に蝶着し、塗装面との間隙を任意に調整が可能であることを特徴とするフード開口部可動式ローラー塗装具。
【発明の詳細な説明】
【技術分野】
【０００１】
本発明は，ローラーで塗装する際に,塗料ミストの飛散防止を図るためのフード開口部可動式ローラー塗装具に関するものである。
【背景技術】
【０００２】
ローラーで塗装する際は、塗料を含浸させたローラーを塗装面に押圧・回転させ塗布するため、遠心力で塗料がミスト状になり飛散し、塗装者の衣服、身体、顔面への付着等により、衛生・健康面で劣悪な環境にあった。
また、塗料ミストの飛散防止のため、塗装面の周辺をシート、ネット等で養生する必要があり、これらの養生をするためには、足場を構設しネットを張設する等の大掛かりな対策が不可欠であり、多大な費用を余儀なくされていた。
【０００３】
特許文献1、特許文献２は、本願出願人によるローラー塗装具で、ローラーに塗料を含浸する際にはフードに塗料が付着しない可動式で、特許文献1はフードの端面の角度が塗装面に対し任意に設定可能な可動式であり、特許文献２はフードが自動回転式でミストの捕集効率は良好であるが、本願は、フードの端面にフード補助を付設し、ローラーの形状に合わせ調整を可能にし、ミストの捕集効率の向上を図ったものである。
特許文献３は、２個のローラーを台形状のカバーで覆蓋した方式であるが、カバーが固定式であり、ローラーを容器内で塗料溶液に浸漬する際にはカバーにも塗料が付着するため除去する必要があり、作業効率が低下する等の問題があった。
【０００４】
特許文献４、及び特許文献５は、フードが可動式であるが、同フードの引上げ部の構造・機能が本願とは異なり、特に文献４は指で直接操作片を押圧するため、大きな押力を要し、取付け腕も１条で安定性・操作性に劣る。
特許文献６はカバーとローラーが離れておりローラーからの塗料ミストの飛散防止効果が低い。
【先行技術文献】
【特許文献】
【０００５】
【特許文献１】特許第６３７５５８２号公報
【特許文献２】特許第６５１２４２３号公報
【特許文献３】特開２００６−１５３１８公報
【特許文献４】実開昭６２−１１８５７２公報
【特許文献５】実開昭５５−０７３２６９公報
【特許文献６】実開平０１−１３９８８０公報
【発明の概要】
【発明が解決しようとする課題】
【０００６】
本発明の課題は、ローラー塗装時に塗料ミストの飛散防止を図るため、捕捉効果が良好なフードの開発、及びローラーを塗料溶液に浸漬する際にはフードに塗料が付着しない構造であり、作業性も良好な塗装具を提供することである。
【課題を解決するための手段】
【０００７】
グリップ１とアーム２とローラー３を有し、当該ローラー３に周設したフード６の下端部にフード補助６ａを傾動自在に蝶着し、操作レバー１１をグリップ１に近接したアーム２に取設して、フード支持軸４を前記アーム２に横設し、フード支持フレーム５とばね９、及びばね１０を、フード支持軸４の支軸８で軸支し、当該ばね１０ａと前記フード補助６ａの端部６ａ１、及び操作レバー１１ａをワイヤー１６で連結し、同操作レバー１１ａを引くことにより、ばね１０の初張力が生じていない遊び部分で前記フード補助６ａの端部を拡開し、その後、当該ばね１０の弾性力でフード６の引上げが可能であり、当該操作レバー１１ａを戻した場合は、フード支持フレーム５がばね９で押圧・付勢され元の位置に帰着することを特徴とする。
【０００８】
フード６はフード骨子６ｃに添設しており、当該フードの取り付け角度はフード骨子６ｃとフードガイド７をフード支持具１５で緩嵌し調整・変更が可能であり、フード６の上端部にはフード補助６ｂを傾動自在に蝶着し、塗装面との間隙を任意に調整が可能であることを特徴とする。
【発明の効果】
【０００９】
従来のローラー塗装具は、塗料ミストが飛散し、塗装者の衣服・身体への付着、健康面への悪影響等、劣悪な環境であったが、本発明のフード開口部可動式ローラー塗装具は、前記フードで塗料ミストを効率的に捕捉するため飛散防止効果が大きく、作業環境を大幅に改善することが可能である。
【００１０】
従来のローラー塗装時には、塗料の飛散を防止するため、足場の構設、ネットの張設等の大掛かりな養生対策が不可欠で多大な費用を余儀なくされていたが、本発明のフード開口部可動式ローラー塗装具は、小規模の塗装工事等の場合は床面のみの養生で脚立・梯子等での塗装が可能であり、足場、ネット等の構設が不要となることから、養生・対策費の大幅な節減が可能で省力化・省資源化の観点からも大きな効果がある。
【００１１】
本発明のフード開口部可動式ローラー塗装具は、フード操作レバーをグリップに近接したアーム２に取設しており、ローラーを塗料液に浸漬する際のフードの引上げ等は片手で操作が可能で機能的であり、操作性・作業効率も良好である。フード端面と塗装面の離れもストッパー１２、１４の位置・調整及びフード補助６ａ、６ｂにより容易に変更が可能である。
【図面の簡単な説明】
【００１２】
【図１】図１は本発明に係るフード開口部可動式ローラー塗装具の斜視図である。
【図２】図２は本発明に係るフード開口部可動式ローラー塗装具の正面図である。
【発明を実施するための形態】
【００１３】
塗装用ローラーに周設したフード６に塗料ミストを効率的に捕捉するためフード補助６ａ、６ｂ  を添設し、ローラーを塗料液に浸漬する際には、当該フードに塗料の付着を防止するため可動式とし、軽量で作業性・効率等が良好な塗装具を実現した。
【実施例１】
【００１４】
本発明に係るフード開口部可動式ローラー塗装具について、図面に基づき詳述する。図１、図２はフード開口部可動式ローラー塗装具の斜視図、及び正面図である。
本フード開口部可動式ローラー塗装具は、グリップ１とアーム２とローラー３を有し、ローラー周りには、ローラー塗装時に非塗装空間を覆うフード６を取設し、当該フードの開口部の両端面にはフード補助６ａ、６ｂを蝶着して傾動自在とする。
前記フード６を支承するフード支持軸４を前記アーム２に横接するが、これはアーム製作時に溶着するか、又は市販の塗装具にボルト等で締着することも可能である。
前記フード支持軸４の両端の軸受４ａ、４ｂにフード支持フレーム５及びばね９、１０を支軸８で傾動自在に軸支する。ばね９はフード支持フレーム５をアーム２への押圧用であるが、ばね１０は逆にフード支持フレーム５をアーム２からの乖離用で、弾性力がばね９より強力である。
フード支持フレーム５の材質はアルミ材、合成樹脂、鋼材、ステンレス鋼線、ピアノ線等がある。
フードの操作レバー１１をグリップ１に近接したアーム２に取設し、当該操作レバー１１ａ、ばね１０のフック１０ａ、及びフード補助６ａの端部６ａ１をワイヤー１６で連結して、同操作レバー１１を指で引くことにより、ばね１０の初張力が生じていない遊び部分で前記フード補助６ａの端部が拡開し、その後、当該ばね１０の弾性力により支持フレーム５の引上げが可能となる。これは、前記フード６がローラー３の下部に接触した場合は、ローラーが支障となり、引上げが不可となるためである。
操作レバー１１を戻した場合は、フード支持フレーム５及びフード６がばね９で押圧・付勢されフード支持フレームストパー１４の位置に帰着する。
【００１５】
塗装時における塗装面とフードの端面との離れについては、フード補助６ａ、６ｂ、及び操作レバー１１のストッパー１２が前記アーム２に軸支しており、当該ストッパー１２を回転して操作レバー１１ｂとの位置調整を行いネジで締着して固定する。前記フードの取り付け角度はフード骨子６ｃとフードガイド７をフード支持具１５で緩嵌しており調整・変更が可能である。
フード６の材質については、軽量な合成樹脂製で耐薬品性、機械的強度に優れるポリエチレンテレフタレート（ＰＥＴ）、ポリプロピレン（ＰＰ）の他、アルミ薄板等が適している。
ローラー３を塗料容器内の塗料に浸漬する際には、当該操作レバー１１を引きフード６を引上げることにより、同フードへの塗料の付着防止が可能であり、この状態を保持する際には、レバー保持ボルト１３を回転させ操作レバー１１ｂとの掛着が可能である。当該レバー保持ボルト１３は、ストッパー１２と同様にアーム２に軸支しており、ネジ操作で自在に挟着・固定が可能である。図２のフード６の断面形状については、端部が半円形より外側に開いた形状の方が塗料ミストの捕集効率が高い。
【実施例２】
【００１６】
上記フード６にはフード補助６ａ、６ｂを付設しているが、ローラーが小口径のケースでは、フード補助の付設を略すことも可能であり、上記フード開口部可動式ローラー塗装具で高所、天井及び床塗装の際に継ぎ柄等を使用するケースでは、フード操作レバーを手元に増設し、ワイヤーで操作レバー１１ａと連結することにより同様に塗装が可能である。
【産業上の利用可能性】
【００１７】
本発明のフード開口部可動式ローラー塗装具は、当該フードにより塗料ミストの飛散を効率的に捕捉し、フード６の操作も片手で操作可能で機能的であり作業性も良好である。従来のフードがない場合には、塗装者の衣服、人体へのミストの飛散等による劣悪な環境であったが、前記塗装具を用いた場合は衛生的・健康的な環境へと大きな改善が図られ、また、飛散防止のための養生等においても、小規模塗装工事等の場合は床面の養生のみで、足場、養生ネットの構設が不要で養生費等の大幅な削減が可能であり、利用可能性は高いと思料される。
【符号の説明】
【００１８】
１    グリップ
２    アーム
３    ローラー
４    フード支持軸
４ａ、４ｂ  軸受
５    フード支持フレーム
６    フード
６ａ、６ａ１、６ｂ  フード補助
６ｃ  フード骨子
７    フードガイド
８    支軸
９    ばね（フードをアーム側への押圧用）
１０  ばね（フード引上げ用）
１０ａ  フード引上げ用フック
１１ａ  操作レバー（ワイヤー側）
１１ｂ  操作レバー（反ワイヤー側）
１２    ストッパー
１３    レバー保持ボルト
１４    フード支持フレームストッパー（フード位置調節用）
１５    フード支持具
１６    ワイヤー
【図１】
2020185535.tif 000003
【図２】
2020185535.tif 000004
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
グリップ１とアーム２とローラー３を有し、当該ローラー３に周設したフード６の下端部にフード補助６ａを傾動自在に蝶着し、操作レバー１１をグリップ１に近接したアーム２に取設して、フード支持軸４を前記アーム２に横設し、フード支持フレーム５とばね９、及びばね１０を、フード支持軸４の支軸８で軸支し、当該ばね１０のフック１０ａと前記フード補助６ａの端部６ａ１、及び操作レバー１１ａをワイヤー１６で連結し、同操作レバー１１ａを引くことにより、ばね１０の初張力が生じていない遊び部分で前記フード補助６ａの端部を拡開し、その後、当該ばね１０の弾性力でフード６の引上げが可能であり、当該操作レバー１１ａを戻した場合は、フード支持フレーム５がばね９で押圧・付勢され元の位置に帰着することを特徴とするフード開口部可動式ローラー塗装具。
【請求項２】
フード６はフード骨子６ｃに添設しており、当該フードの取り付け角度はフード骨子６ｃとフードガイド７をフード支持具１５で緩嵌し調整・変更が可能であり、フード６の上端部にはフード補助６ｂを傾動自在に蝶着し、塗装面との間隙を任意に調整が可能であることを特徴とする請求項１に記載のフード開口部可動式ローラー塗装具。